(57)【要約】【課題】ウエハの熱ストレスによるスリップ等の発生を防止する。【解決手段】ボート２１の保持部材２４の保持溝２５に予め保持された支持プレート２７にウエハＷが載置されて熱処理が施される熱処理装置であって、ウエハＷがボート２１にウエハ移載装置６０によって着脱される場所には、ウエハＷを支持プレート２７から持ち上げる持ち上げ装置５４が設置されている。持ち上げ装置５４はエレベータ５５により昇降される一対のリニアアクチュエータ５６と、互いに対向配置されてリニアアクチュエータ５６により開閉される一対の移動台５７と、両移動台に互いに対向して立設された一対の保持柱５８と、両保持柱に互いに対向して配置された多数の二股の保持部５９とを備えている。【効果】ウエハを支持プレートで保持して熱処理することで、ウエハの自重を分散できるため、ウエハのスリップや損傷および反りの発生を防止できる。【選択図】      図５
2004335684.tif 000002
【特許請求の範囲】
【請求項１】
基板を熱処理する処理室と、前記熱処理する際に前記基板を板状部材で保持する保持具と、この保持具の外側に設置され前記基板の径方向に対して進退するとともに上下方向に進退して前記基板を前記保持具から持ち上げる持ち上げ装置とを備えていることを特徴とする熱処理装置。
【発明の詳細な説明】
【０００１】
【発明の属する技術分野】
本発明は、熱処理装置に関し、特に、被処理基板の保持技術に係り、例えば、半導体集積回路装置（以下、ＩＣという。）が作り込まれる半導体ウエハ（以下、ウエハという。）に酸化処理や拡散処理、イオン打ち込み後のキャリア活性化や平坦化のためのリフロー処理やアニール処理等の熱処理（ｔｈｅｒｍａｌ  ｔｒｅａｔｍｅｎｔ  ）に使用される熱処理装置（ｆｕｒｎａｃｅ  ）に利用して有効な技術に関する。
【０００２】
【従来の技術】
ＩＣの製造方法における酸化処理や拡散処理等の熱処理には、バッチ式縦形ホットウオール形熱処理装置（以下、熱処理装置という。）が、広く使用されている。熱処理装置は、ウエハが搬入される処理室を形成するプロセスチューブと、プロセスチューブの外部に敷設されてプロセスチューブ内を加熱するヒータとを備えており、複数枚のウエハがボートによって垂直方向に長く整列されて保持された状態で処理室内に下端の炉口から搬入され、ヒータによって処理室内が加熱されることにより、ウエハに熱処理が施されるように構成されている。
【０００３】
一般に、このような熱処理装置において、複数枚のウエハを保持する保持具としてのボートは上下で一対の端板と、両端板間に架設されて垂直に配設された三本の保持部材と、三本の保持部材に長手方向に等間隔に配されて互いに対向して開口するように刻設された多数の保持溝とを備えており、三本の保持部材の保持溝間にウエハを挿入することにより、複数枚のウエハを水平にかつ互いに中心を揃えた状態に整列させて保持するように構成されている。
【０００４】
ところが、このような構成のボートにおいては、ウエハの全重量は三箇所の保持溝だけで支えられることになるため、ウエハに熱ストレスが急激に加わった際に、ウエハと保持溝との接触面間の引張応力や自重応力の関係から結晶欠陥（スリップ）が発生したり、ウエハが反ったりするという問題点がある。
【０００５】
この問題点を解決するための技術として、特許文献１には次のようなウエハホルダが開示されている。このウエハホルダは、石英（ＳｉＯ２  ）が使用されて円板形状に形成されたホルダ本体と、馬蹄形の板形状に形成され上面にウエハ移動防止突起が突設された馬蹄形板状体とを備えており、ホルダ本体の上に載置された馬蹄形板状体の上にウエハをウエハ移動防止突起によって移動を防止する状態で載せて保持するように構成されている。
【０００６】
【特許文献１】
実開昭６３−１７７０３５号公報
【０００７】
【発明が解決しようとする課題】
しかしながら、石英製の円板形状のホルダ本体と馬蹄形板状体とを備えたウエハホルダにおいては、１２００℃以上の高温下では石英製のホルダ本体が軟化して垂れるように変形してしまうという問題点がある。ツィーザを逃げる切欠きが開設されたウエハホルダおよび馬蹄形板状体においては、隙間幅の大きい切欠き部分においてウエハの温度が低下するため、ウエハの温度分布の均一性が低下し、その結果、ウエハに形成されたＣＶＤ膜の膜厚分布が不均一になってしまうという問題点がある。
【０００８】
本発明の目的は、従来の技術のこれらの問題点を解決し、熱ストレスによる障害を防止することができる熱処理装置を提供することにある。
【０００９】
【課題を解決するための手段】
本願において開示される発明のうち代表的なものは、次の通りである。
（１）基板を熱処理する処理室と、前記熱処理する際に前記基板を板状部材で保持する保持具と、この保持具の外側に設置され前記基板の径方向に対して進退するとともに上下方向に進退して前記基板を前記保持具の板状部材から持ち上げる持ち上げ装置とを備えていることを特徴とする熱処理装置。
（２）基板移載装置によって基板を保持具の基板載置部である板状部材の上方に移送するステップと、基板移載装置によって保持した基板の径方向に持ち上げ装置を挿入するステップと、前記持ち上げ装置を上昇させることにより前記基板を前記基板移載装置から受け取るステップと、前記基板移載装置を後退させるステップと、前記持ち上げ装置を下降させることにより前記基板を保持具の板状部材の上に載置するステップと、前記基板を保持具の板状部材によって保持した状態で熱処理する熱処理ステップとを備えていることを特徴とする基板の製造方法および半導体装置の製造方法。
（３）前記（１）（２）において、保持具の板状部材は円板形状であることを特徴とする基板処理装置、基板の製造方法、半導体装置の製造方法。
（４）前記（３）において、保持具の板状部材の外径は基板の外径よりも小さいことを特徴とする基板処理装置、基板の製造方法、半導体装置の製造方法。
（５）前記（３）において、保持具の板状部材の外径は基板の外径と同等もしくはそれ以上であり、保持具の板状部材には持ち上げ装置が作動する際に保持具の板状部材と持ち上げ装置との干渉を避けるスリットが設けられていることを特徴とする基板処理装置、基板の製造方法、半導体装置の製造方法。
（６）前記（１）（２）において、保持具の板状部材の材質は、炭化シリコン、シリコン、石英のいずれかであることを特徴とする基板処理装置、基板の製造方法、半導体装置の製造方法。
（７）前記（１）（２）において、保持具は本体部と、基板と接触する支持部である板状部材とを備えており、本体部の構成物が炭化シリコンであることを特徴とする基板処理装置、基板の製造方法、半導体装置の製造方法。
（８）前記（１）（２）において、保持具は複数枚の基板を略水平状態で隙間をもって複数段に支持するように構成されていることを特徴とする基板処理装置、基板の製造方法、半導体装置の製造方法。
（９）前記（１）（２）において、熱処理とは１０００℃以上の温度で実施する処理であることを特徴とする基板処理装置、基板の製造方法、半導体装置の製造方法。
（１０）前記（１）（２）において、熱処理とは１２００℃以上の温度で実施する処理であることを特徴とする基板処理装置、基板の製造方法、半導体装置の製造方法。
（１１）前記（１）（２）において、熱処理とは１３５０℃以上の温度で実施する処理であることを特徴とする基板処理装置、基板の製造方法、半導体装置の製造方法。
【００１０】
前記（１）の手段によれば、基板は持ち上げ装置によって径方向外側から掬い上げて昇降させることにより、保持具の板状部材に授受させることができる。基板は保持具の板状部材で保持した状態で熱処理することができるため、熱ストレスによる弊害を防止することができる。
【００１１】
【発明の実施の形態】
以下、本発明の一実施の形態を図面に即して説明する。
【００１２】
本実施の形態において、本発明に係る基板処理装置は、図１〜図３に示されているように、ＩＣの製造方法における酸化膜形成処理やアニール処理等の１２５０℃〜１３５０℃の高温の熱処理工程を実施する熱処理装置（バッチ式縦形ホットウオール形熱処理装置）として構成されており、この熱処理装置は一回のバッチ処理の枚数が５０枚〜１５０枚程度のバッチを取り扱うバッチ式熱処理装置（以下、熱処理装置という。）として構成されている。この熱処理装置は基板としてはウエハを取り扱うものとして構成されている。なお、以下の説明において、前後左右は図１を基準とする。すなわち、ウエハ搬入搬出口３側が前側、その反対側が後側、クリーンユニット５側が左側、その反対側が右側とする。
【００１３】
図１に示されているように、熱処理装置１は略直方体の箱形状に構築された筐体２を備えている。筐体２の正面壁の中央よりも若干右寄りの位置には、ウエハＷを筐体２に対して搬入搬出するためのウエハ搬入搬出口３が開設されており、ウエハ搬入搬出口３にはポッドオープナ４が設置されている。ポッドオープナ４はポッドＰを載置する載置台４ａと、載置台４ａに載置されたポッドＰのキャップを着脱するキャップ着脱機構４ｂとを備えており、載置台４ａに載置されたポッドＰのキャップをキャップ着脱機構４ｂによって着脱することにより、ポッドＰのウエハ出し入れ口を開閉するようになっている。筐体２内の左側壁にはクリーンエアを吹き出すクリーンユニット５が、ボート２１にクリーンエアを吹き付けるように設置されている。筐体２の後端部の右側壁にはボート２１を垂直方向に昇降させるためのボートエレベータ６が設置されており、ボートエレベータ６は送りねじ装置等によって構成されている。
【００１４】
図３に示されているように、筐体２の後端部の上には均熱管１２と反応管（プロセスチューブ）１３とがそれぞれ中心線が垂直になるように設置されている。外側に配置された均熱管１２は炭化シリコン（ＳｉＣ）等の耐熱性材料が使用されて、上端が閉塞し下端が開口した円筒形状に形成されている。内側に配置された反応管１３は石英（ＳｉＯ２  ）または炭化シリコン（ＳｉＣ）等の耐熱性材料が使用されて、上端が閉塞し下端が開口した円筒形状に形成されており、円筒の中空部は処理室１４を形成している。反応管１３の天井壁には複数の吹出口１５が開設されており、天井壁の上には拡散部１６が吹出口１５を被覆するように突設されている。拡散部１６には連絡管１７の上端が接続されており、連絡管１７の中間部は反応管１３の外周面に沿って配管され、その下端は反応管１３の下端部において径方向に配管された導入管１８に接続されている。反応管１３の下端部には排気管１９の一端が接続されており、排気管１９の他端はポンプ等からなる排気装置（図示せず）に接続されている。均熱管１２の外側にはヒータユニット３０が同心円に配されて配置されており、ヒータユニット３０は筐体２に垂直に支持されている。ヒータユニット３０は処理室１４を全体にわたって均一または所定の温度分布に加熱するように構成されている。均熱管１２の内側であって反応管１３の外側（均熱管１２と反応管１３の間）には処理室１４の温度を計測する熱電対３１が垂直に敷設されており、ヒータユニット３０は熱電対３１の計測結果に基づいてフィードバック制御されるように構成されている。
【００１５】
反応管１３の下端開口部には、例えば、石英によって円盤形状に形成されたシールキャップ３２が配置されており、シールキャップ３２は反応管１３の下端面にシールリング３３を介して密着することによって処理室１４を気密封止するように構成されている。シールキャップ３２は円盤形状に形成されたベース３４によってフローティング支持されており、ベース３４はボートエレベータ６によって垂直方向に昇降されるようになっている。ベース３４には回転機構としての電動モータ３５が設置されており、電動モータ３５の回転軸はベース３４の上方に垂直に挿通されている。電動モータ３５の回転軸の上端には断熱キャップ２６が垂直に設置されており、断熱キャップ２６の上にはボート２１が垂直に設置されている。電動モータ３５は断熱キャップ２６およびボート２１を回転させるように構成されている。
【００１６】
図２、図３に示されているように、保持具としてのボート２１は上下で一対の端板２２、２３と、両端板２２と２３との間に架設されて垂直に配設された三本の保持部材２４とを備えており、三本の保持部材２４には多数の保持溝２５が長手方向に等間隔に配されて互いに対向して開口するように刻設されている。ボート２１とシールキャップ３２との間に配置された断熱キャップ２６は内部に断熱材が封入されており、ボート２１をシールキャップ３２の上面から持ち上げた状態に支持することにより、ボート２１の下端を炉口の位置から適当な距離だけ離間させるように構成されている。ボート２１の三本の保持部材２４における保持溝２５の間には、ウエハと面接触してウエハを直接的に支持する板状部材（支持部）としての支持プレート２７の外周辺部がそれぞれ挿入されており、各段の支持プレート２７は外周辺部を三箇所の保持溝２５に挿入されることにより、水平にかつ互いに中心を揃えた状態に整列させて予じめ保持された状態になっている。支持プレート２７はボート２１の各段の保持溝２５に装着されるため、少なくともボート２１の保持溝２５の段数に対応する枚数が予め準備されている。図４に示されているように、支持プレート２７は炭化シリコンが使用されて円形の平板形状に形成されており、外径はウエハＷの外径以下で、ボート２１の三箇所の保持溝２５が構成する円形の直径よりも若干だけ小さめに設定されている。ちなみに、図６および図７に示されているように、保持溝２５の先端部の上面には段差部２５ａが没設されており、支持プレート２７は段差部２５ａ内に載置されることにより、径方向の移動を規制されるようになっている。
【００１７】
図１に示されているように、シールキャップ３２のボートエレベータ６と反対脇にはボート搬送装置５０が設置されている。ボート搬送装置５０は前側アーム５１および後側アーム５２と、両アーム５１、５２を水平面内で約９０度ずつ往復回動させるロータリーアクチュエータ５３とを備えており、両アーム５１、５２がボート２１を一台ずつ垂直に支持し、シールキャップ３２の上に受渡し得るように構成されている。したがって、本実施の形態においては、二台のボート２１、２１が使用されることになる。図１および図２に示されているように、前側アーム５１のシールキャップ３２からの約９０度回動したウエハ移載位置には、支持プレート２７の外側に設置されウエハＷの径方向に対して進退するとともに上下方向に進退してウエハＷを支持プレート２７から持ち上げる持ち上げ装置５４が設置されている。持ち上げ装置５４はリニアアクチュエータ５６を昇降させるエレベータ５５を備えており、リニアアクチュエータ５６は互いに対向するように配された一対の移動台５７、５７を前側アーム５１の先端部の中心に対して径方向に往復移動させるように構成されている。一対の移動台５７、５７には一対の保持柱５８、５８が互いに対向してそれぞれ垂直に立設されており、一対の保持柱５８、５８には平面視が二股の保持部５９が多数個、長手方向に等間隔に配されて同一平面内で互いに対向するように突設されている。各段の保持部５９はボート２１の保持溝２５に対応するようになっており、二股の隙間によってボート２１の保持部材２４を逃げるようになっている。
【００１８】
図１に示されているように、筐体２内の前側領域にはボート２１に対してウエハＷを装填（チャージング）および脱装（ディスチャージング）するウエハ移載装置６０が設置されている。図４に示されているように、ウエハ移載装置６０はロータリーアクチュエータ６１を備えており、ロータリーアクチュエータ６１は上面に設置された第一リニアアクチュエータ６２を水平面内で回転させるように構成されている。第一リニアアクチュエータ６２の上面には第二リニアアクチュエータ６３が設置されており、第一リニアアクチュエータ６２は第二リニアアクチュエータ６３を水平移動させるように構成されている。第二リニアアクチュエータ６３の上面には移動台６４が設置されており、第二リニアアクチュエータ６３は移動台６４を水平移動させるように構成されている。移動台６４にはウエハＷを下から支持するツィーザ６５が複数枚（本実施の形態においては五枚）、等間隔に配置されて水平に取り付けられている。ウエハ移載装置６０は送りねじ機構によって構成されたエレベータ６６によって昇降されるようになっている。
【００１９】
次に、前記構成に係る熱処理装置の作用を説明することにより、本発明の一実施の形態であるＩＣの製造方法における酸化膜形成工程を説明する。
【００２０】
図２、図４、図５（ａ）および図６（ａ）に示されているように、ボート搬送装置５０の前側アーム５１に載置されたボート２１の各段の保持溝２５には、支持プレート２７が一枚ずつ予じめ保持されている。この際、ボート２１の三本の保持部材２４、２４、２４はウエハ移載装置６０に対向して間口を開いた状態になっている。
【００２１】
載置台４ａに供給されたポッドＰがポッドオープナ４によって開放されると、ウエハ移載装置６０はツィーザ６５によってポッドＰからウエハＷを五枚ずつ掬い上げた後に、ツィーザ６５を後退させてウエハ搬入搬出口３からウエハＷを筐体２内に搬入する。続いて、図４および図５（ａ）に示されているように、ウエハ移載装置６０はツィーザ６５を前側アーム５１のボート２１に向かって前進させ、図５（ｂ）および図６（ｂ）に示されているように、ウエハＷを支持プレート２７の上方に挿入する。
【００２２】
ウエハＷが支持プレート２７の上方に挿入されると、持ち上げ装置５４の一対の保持柱５８、５８が互いに接近する方向に前進されてウエハＷの下方に挿入された後に、若干上昇される。これにより、図６（ｃ）に示されているように、一対の保持柱５８、５８の保持部５９、５９はウエハＷの外周縁の下面にそれぞれ係合され、ウエハＷは両保持部５９、５９によって持ち上げられた状態となる。この際、両保持部５９、５９は二股に形成されているために、ボート２１の保持部材２４に干渉することはない。
【００２３】
次いで、ツィーザ６５が後退された後に持ち上げ装置５４の保持柱５８、５８が下降されると、図６（ｄ）に示されているように、ウエハＷは支持プレート２７の上に移載された状態になる。以降は以上の作動が繰り返されることにより、ウエハＷがボート２１に五枚ずつ装填されて行く。所定の枚数のウエハＷがボート２１に装填されると、ボート２１はベース３４に設置された電動モータ３５の回転軸の上に、ボート搬送装置５０の前側アーム５１によって搬送されて受け渡される。
【００２４】
移載されたボート２１はボートエレベータ６によって上昇されて、反応管１３の処理室１４に搬入（ボートローディング）される。ボート２１が上限に達すると、シールキャップ３２がシールリング３３を介して反応管１３の下端部と密着し、反応管１３をシール状態に閉塞するために、処理室１４は気密に閉じられた状態になる。気密に閉じられると、処理室１４は排気管１９によって排気され、ヒータユニット３０によって所定の温度（例えば、１２００℃以上）に加熱される。また、ボート２１および断熱キャップ２６は電動モータ３５によって回転される。続いて、処理ガスとしての酸化剤が導入管１８から処理室１４に供給される。導入管１８に供給された酸化剤は連絡管１７を流れて拡散部１６の内部室に至り、拡散部１６の内部室において拡散して吹出口１５から処理室１４にシャワー状に吹き出す。処理室１４に供給された酸化剤は排気管１９の排気力によって処理室１４を流下しながらウエハＷに接触して行くことにより、ウエハＷに酸化膜を形成する。この際、ボート２１が回転していることにより、酸化剤はウエハＷの面内において均等に接触するので、ウエハＷに形成される酸化膜の膜厚分布は面内において均一になる。
【００２５】
予め設定された処理時間が経過すると、ボート２１およびシールキャップ３２がボートエレベータ６によって下降されることにより、処理室１４の炉口が開口されるとともに、処理済みのウエハＷ群が支持プレート２７を介してボート２１に保持された状態で炉口から処理室１４の外部に搬出（ボートアンローディング）される。ちなみに、処理室１４において酸化膜形成処理が実施されている間には、前側アーム５１において次回のバッチのウエハＷが別のボート２１の各支持プレート２７の上に前述した作動によって移載されている。
【００２６】
ところで、前述したように、ウエハＷの全重量が少数箇所で受けられている場合には、１２００℃以上のような高温度で熱処理されたり、温度が急激に昇降されて熱ストレスが急激に加わったりすると、ウエハと保持溝との接触面間の摩擦による引張応力や自重応力の関係からウエハにスリップが発生したり、ウエハが反ったりする。しかし、本実施の形態においては、ウエハＷの重量は支持プレート２７によって全体的に支持されることにより、ウエハＷに三箇所の保持溝２５から相対的に作用する負担は全周に分散されるため、接触面間の摩擦による引張応力や自重応力が低減され、ウエハＷのスリップや損傷および反りの発生は防止されることになる。
【００２７】
プロセスチューブ１３の外部に搬出されたボート２１はシールキャップ３２の上から筐体２内の後端部へ、ボート搬送装置５０の後側アーム５２によって搬送されて待機させられる。この待機の間にはクリーンエアがボート２１のウエハＷおよび支持プレート２７にクリーンユニット５から吹き付けられるので、強制的に冷却される。
【００２８】
処理済みのボート２１が後側アーム５２によって搬送されると、空になったシールキャップ３２には、次回のバッチのウエハＷが装填されたボート２１が前側アーム５１によって搬送されて来て受け渡される。ボート２１が移載されると、シールキャップ３２はボートエレベータ６によって上昇され、処理室１４に搬入される。処理室１４に搬入されたボート２１のウエハＷは酸化膜形成処理を前述した作用によって実施される。
【００２９】
シールキャップ３２が上昇されると、筐体２内の後端部において待機している処理済みボート２１は、前側アーム５１に後側アーム５２によって受け渡され、ウエハ移載装置６０に対向するウエハ移載位置に搬送される。この際、搬送されたボート２１の三本の保持部材２４、２４、２４は、ウエハ移載装置６０に対向して間口を開いた状態になっている。
【００３０】
空のポッドＰがポッドオープナ４によって開放されると、図７（ａ）に示されているように、持ち上げ装置５４の一対の保持柱５８、５８が互いに接近する方向に前進されてウエハＷの下方に挿入される。続いて、一対の保持柱５８、５８が若干上昇されると、図７（ｂ）に示されているように、一対の保持柱５８、５８の保持部５９、５９は支持プレート２７に保持されたウエハＷの外周縁の下面にそれぞれ係合され、ウエハＷは両保持部５９、５９により持ち上げられた状態となる。
【００３１】
次いで、図７（ｂ）に示されているようなウエハＷが保持部５９により持ち上げられた状態で、ウエハ移載装置６０の五枚のツィーザ６５が五枚のウエハＷの下側にそれぞれ挿入される。続いて、ツィーザ６５が若干上昇されると、五枚のツィーザ６５は五枚のウエハＷをそれぞれ掬い取る。ウエハＷがツィーザ６５に乗り移ると、図７（ｃ）に示されているように、持ち上げ装置５４の一対の保持柱５８、５８は互いに離反する方向に後退されて元の待機位置に戻される。この後、ウエハＷを支持したツィーザ６５が後退すると、図７（ｄ）に示されているような状態になる。
【００３２】
支持プレート２７の上からウエハＷを掬い上げたツィーザ６５はボート２１に対して後退することにより、五枚のウエハＷをボート２１から搬出する。続いて、ツィーザ６５は空のポッドＰの方向に前進してウエハＷをウエハ搬入搬出口３からポッドＰに移載する。以降は以上の作動が繰り返されることにより、処理済みのウエハＷがボート２１から空のポッドＰに五枚ずつ収納されて行く。二十五枚のウエハＷがポッドＰに収納されると、処理済みウエハＷを収納したポッドＰは載置台４ａから移動され、別の空のポッドＰが運ばれる。以上の作動を繰り返して、全ての処理済みウエハＷを回収した後に、載置台４ａには次回のバッチのウエハＷが収納されたポッドＰが供給されて来る。
【００３３】
以後、前述した作用が繰り返されて二台のボート２１、２１が交互に使用されることにより、熱処理装置１による酸化膜形成処理が繰り返し実施される。
【００３４】
前記実施の形態によれば、次の効果が得られる。
【００３５】
１）  円板形状の支持プレートによってウエハを支持して熱処理することにより、ウエハに相対的に作用する自重の負担を全体的に分散させることができるため、接触面間の摩擦による引張応力や自重応力を低減し、もって、ウエハのスリップや損傷および反りの発生を防止することができる。
【００３６】
２）  炭化シリコン製の支持プレートにウエハを載置して保持することにより、処理室における温度が急激な上昇および下降する場合であってもウエハ面内における温度分布の均一性の低下を防止することができるため、ウエハの膜厚分布が全体にわたって均一になるように酸化膜を形成することができる。
【００３７】
３）  持ち上げ装置の保持柱の保持部を平面視が二股形状に形成することにより、ボートの保持部材に干渉するのを防止することができるので、ウエハをウエハ移載装置のツィーザによって掬い取ることができる。
【００３８】
なお、本発明は前記実施の形態に限定されるものではなく、その要旨を逸脱しない範囲で種々に変更が可能であることはいうまでもない。
【００３９】
例えば、図８に示されているように、支持プレートの外径はウエハＷの外径と同等もしくはそれ以上に設定してもよい。この支持プレート２７Ａには持ち上げ装置５４が作動する際に持ち上げ装置５４の保持部５９との干渉を避けるスリット２８が形成されている。
【００４０】
支持プレートは炭化シリコンを使用して製造するに限らず、シリコン（Ｓｉ）や石英（ＳｉＯ２  ）を使用して製造してもよいし、炭化シリコンの表面にシリコン膜や酸化シリコン膜を被着して製造してもよい。
【００４１】
前記実施の形態においては、ＩＣの製造方法においてウエハに酸化膜を形成する工程について説明したが、本発明に係る熱処理装置はＩＣの製造方法の他の熱処理工程に適用することもできる。特に、比較的に高い温度で実施される熱処理、例えば、ウエット酸化、ドライ酸化、水素燃焼酸化（パイロジェニック酸化）、塩酸（ＨＣｌ）酸化等の熱酸化工程や、硼素（Ｂ）、燐（Ｐ）、砒素（Ａｓ）、アンチモン（Ｓｂ）等の不純物（ドーパント）を半導体薄膜に拡散する熱拡散工程、アニール工程等に適用するのが好ましい。このようなＩＣの製造方法の熱処理工程に本発明に係る熱処理装置を適用することにより、ウエハのスリップの発生を防止することができる。
【００４２】
さらに、本発明に係る熱処理装置は基板の製造方法に適用して優れた効果を発揮する。例えば、ＳＯＩ（ｓｉｌｉｃｏｎ  ｏｎ  ｉｎｓｕｌａｔｏｒ）  ウエハの一種であるＳＩＭＯＸ（ｓｅｐａｒａｔｉｏｎ  ｂｙ  ｉｍｐｌａｎｔｅｄ  ｏｘｙｇｅｎ）  ウエハの製造方法の熱処理工程に、本発明に係る熱処理装置を適用する場合について説明する。まず、酸素イオンが単結晶シリコンウエハの内部にイオン注入装置等によって注入される。その後に、酸素イオンが注入されたウエハが本発明に係る熱処理装置によって、例えば、アルゴン（Ａｒ）や酸素（Ｏ２  ）雰囲気の下で、１３００℃〜１４００℃程度（例えば、１３５０℃以上）の高温をもってアニール処理される。これらの処理によって、酸化シリコン（ＳｉＯ２  ）層がウエハの内部に形成された（酸化シリコン層が埋め込まれた）ＳＩＭＯＸウエハが製造される。
【００４３】
また、水素アニールウエハの製造方法の熱処理工程にも、本発明に係る熱処理装置を適用することができる。この場合には、ウエハを本発明に係る熱処理装置を使用して、水素雰囲気中で、１２００℃程度以上の高温をもってアニール処理することになる。これによって、ＩＣが製造されるウエハの表面層の結晶欠陥を低減することができ、結晶の完全性を高めることができる。この他には、エピタキシャルウエハの製造方法の熱処理工程にも、本発明に係る熱処理装置を適用することができる。以上のような基板の製造方法の一工程である高温アニール処理を実施する場合であっても、本発明に係る熱処理装置を使用することにより、ウエハのスリップの発生を防止することができる。
【００４４】
被処理基板はウエハに限らず、ホトマスクやプリント配線基板、液晶パネル、コンパクトディスクおよび磁気ディスク等であってもよい。
【００４５】
【発明の効果】
本発明によれば、熱ストレスによる障害の発生を防止することができる。
【図面の簡単な説明】
【図１】本発明の一実施の形態である熱処理装置を示す平面断面図である。
【図２】図１のＩＩ−ＩＩに沿う断面図である。
【図３】反応管の部分を示す正面断面図である。
【図４】持ち上げ装置とウエハ移載装置の部分を示す正面断面図である。
【図５】（ａ）は図４のａ−ａ線に沿う一部省略平面断面図であり、（ｂ）はその挿入ステップの断面図である。
【図６】ウエハを支持プレートへ受け渡すステップを示す各正面図である。
【図７】ウエハを支持プレートから受け取るステップを示す各正面図である。
【図８】支持プレートの他の実施の形態を示しており、（ａ）はウエハ挿入前の平面断面図、（ｂ）はウエハ挿入後の平面断面図、（ｃ）は（ｂ）のｃ−ｃ線に沿う断面図である。
【符号の説明】
Ｗ…ウエハ（基板）、Ｐ…ポッド、１…熱処理装置（バッチ式縦形ホットウオール形熱処理装置）、２…筐体、３…ウエハ搬入搬出口、４…ポッドオープナ、４ａ…載置台、４ｂ…キャップ着脱機構、５…クリーンユニット、６…ボートエレベータ、１２…均熱管、１３…反応管（プロセスチューブ）、１４…処理室、１５…吹出口、１６…拡散部、１７…連絡管、１８…導入管、１９…排気管、２１…ボート、２２、２３…端板、２４…保持部材、２５…保持溝、２５ａ…段差部、２６…断熱キャップ、２７、２７Ａ…支持プレート（板状部材）、２８…スリット、３０…ヒータユニット、３１…熱電対、３２…シールキャップ、３３…シールリング、３４…ベース、３５…電動モータ、５０…ボート搬送装置、５１…前側アーム、５２…後側アーム、５３…ロータリーアクチュエータ、５４…持ち上げ装置、５５…エレベータ、５６…リニアアクチュエータ、５７…移動台、５８…保持柱、５９…保持部、６０…ウエハ移載装置、６１…ロータリーアクチュエータ、６２…第一リニアアクチュエータ、６３…第二リニアアクチュエータ、６４…移動台、６５…ツィーザ、６６…エレベータ。
【図１】
2004335684.tif 000003
【図２】
2004335684.tif 000004
【図３】
2004335684.tif 000005
【図４】
2004335684.tif 000006
【図５】
2004335684.tif 000007
【図６】
2004335684.tif 000008
【図７】
2004335684.tif 000009
【図８】
2004335684.tif 000010